(57)【要約】【課題】切り出されるスライス肉片を定量でトレーに盛付けるか、またはコンベヤ上のいずれかで受取って機外に搬出することができる食肉スライサーを提供する。【解決手段】食肉移送樋１ａ，１ｂは、出口付近において左右に対向する側壁５，５と、底部コンベア４と、上部押圧部材６とで形成される四角形の断面を有し、上部押圧部材６が所定位置に固定された状態と上下動可能な状態とに切り替え可能にされているとともに、トレー１１を受取位置まで移送してスライス肉片を受取らせてから搬出する移送部材からなる第一搬出手段と、始端部を受取位置に臨ませてコンベヤ上にスライス肉片を受取る搬出コンベヤ１７からなる第二搬出手段とを設けて、上部押圧部材６の切り替えに関連していずれかの搬出手段によってスライス肉片を機外に搬出する。【選択図】図１
2011218537.tif 000002
【特許請求の範囲】
【請求項１】
食肉塊の送り出し手段を備えた食肉移送樋と、食肉移送樋の出口付近に設けられた刃と、刃によって切削されたスライス肉片を受取って機外に搬出する搬出手段を具備した食肉スライサーであって、食肉移送樋は少なくとも出口付近において左右に対向する側壁と、底部コンベアと、上部押圧部材とで形成される四角形の断面を有し、上部押圧部材が所定位置に固定された状態と上下動可能な状態とに切り替え可能にされているとともに、トレーを受取位置まで移送してスライス肉片を受取らせてから搬出する移送部材からなる第一搬出手段と、始端部を受取位置に臨ませてコンベヤ上にスライス肉片を受取る搬出コンベヤからなる第二搬出手段とを設けて、上部押圧部材の切り替えに関連していずれかの搬出手段によってスライス肉片を機外に搬出するようにした食肉スライサー。
【請求項２】
食肉移送樋が、出口付近における断面積が略等しい複数の食肉移送樋を適宜の間隔を保って並列させて一体とした構成であって、各食肉移送樋の出口付近における断面積が略同じになる位置に上部押圧部材を固定できるようにした請求項１に記載の食肉スライサー。
【請求項３】
トレーの移送部材が、スライス肉片の移送方向に直交してトレーを移送する移送帯からなり、搬出コンベアはスライス肉片の移送方向に沿って走行するベルトコンベヤからなる請求項１または請求項２のいずれかに記載の食肉スライサー。
【請求項４】
搬出コンベヤは、スライス肉片の受取位置に始端部を出退自在とされた請求項１から請求項３のいずれかに記載の食肉スライサー。
【請求項５】
請求項１から請求項４のいずれかに記載の食肉スライサーを使用して、上部押圧部材を固定して、食肉移送樋に複数の食肉塊を相互に接触させて詰め込み、複数の食肉塊を同時にスライスしてコマギレ肉とし、第一搬出手段を使用してコマギレ肉をトレーに盛付け機外に搬出するようにした食肉スライス方法。
【発明の詳細な説明】
【技術分野】
【０００１】この発明は、食肉スライサーと食肉スライス方法に関する。
【背景技術】
【０００２】本発明に関連する従来の食肉スライサーには、例えば特許文献１に開示されているものがある。
この食肉スライサーは、肉箱の底部コンベヤ上に載置された食肉をコンベヤに向けて押圧する押え装置を、コンベヤ側に押圧するばねを設けて食肉の大きさが変わっても安定したスライス性能が得られるようにしている。【０００３】しかしながら、左右を側壁で規制し底部のコンベヤと対向する押え装置とによって周囲を囲い断面形状を矩形状とした肉箱に充満するように複数の食肉を詰め込んで送り出し、一度に複数の食肉をスライスする所謂コマギレ肉を生産してトレーへの盛付をする場合に、一度にスライスされるスライス肉片は定量であることが望ましいが、特許文献１の押え装置では送り出し量が規制できないので定量化は困難である。【０００４】また、スライサーからスライス肉片を機外に搬出するには、コマギレ肉の場合は比較的小形で多数のスライス肉片がランダムに組み合わされたものなので比較的容易にトレーに盛付けることができるので、トレーに盛付けたものを機外に搬出して以後の包装、値付けなどのラインにつなぐことが望ましい。
一方、コマギレ肉と異なり単一の食肉塊をスライスする場合には、トレーへの盛付姿勢が一様でなく、二つ折りして鱗状に並らべたり、切り落としと呼ばれる一枚毎にとぐろ巻き状にして並らべたり、或いは形を整えるために前後に切り出されたスライス肉片を組み合わせたり、場合によっては正確に計量しながら盛付けたりするので機械化が困難であり、スライス肉片を一旦コンベヤ上に広げられ状態で取り出してから、人手により所望の盛付を行うことにならざるを得ないのが実情である。【０００５】先行文献２には、食肉スライサーから切り出されるスライス片を搬送ベルト先端部の皿載位置まで搬送して、待機する受皿に落下させスライス肉片が投入された受皿を搬送方向と直角な方向に送り出す構成が示されている。【０００６】しかしながら、この特許文献２には、受皿に投入しないで搬送中のコンベヤ上で人手によって取り出すことに関しては一切開示されておらず、若しスライサーから皿載位置に至るまでに人手で処理するのであれば、一定の作業能率を確保するために、見合う作業者と作業スペースを確保する必要があり、そのためにコンベヤ全長を延長しなければならない。となると皿載位置までの搬送距離も長くなり、搬送中に姿勢の乱れやベルトの滑りなどによるタイミング誤差などが大きくなり受皿への盛付時における作業精度が低下する。
【先行技術文献】
【特許文献１】実開平１−１６４０９５号公報
【特許文献２】特開平４−６９１９６号公報
【発明の概要】
【発明が解決しようとする課題】
【０００７】本発明は、前述のような従来の食肉スライサーに係わる問題点に鑑み、定量切り出しが望ましいコマギレ肉のスライスと、単一の食肉塊のスライスも簡単な切り替えで支障なく行うことができる食肉スライサーおよび食肉スライス方法を提供することを目的としている。
【課題を解決するための手段】
【０００８】本発明は、食肉塊の送り出し手段を備えた食肉移送樋と、食肉移送樋の出口付近に設けられた刃と、刃によって切削されたスライス肉片を受取って機外に搬出する搬出手段を具備した食肉スライサーであって、食肉移送樋は少なくとも出口付近において左右に対向する側壁と、底部コンベアと、上部押圧部材とで形成される四角形の断面を有し、上部押圧部材が所定位置に固定された状態と上下動可能な状態とに切り替え可能にされているとともに、トレーを受取位置まで移送してスライス肉片を受取らせてから搬出する移送部材からなる第一搬出手段と、始端部を受取位置に臨ませてコンベヤ上にスライス肉片を受取る搬出コンベヤからなる第二搬出手段とを設けて、上部押圧部材の切り替えに関連していずれかの搬出手段によってスライス肉片を機外に搬出するようにした食肉スライサーとしている。【０００９】また、食肉移送樋が、出口付近における断面積が略等しい複数の食肉移送樋を適宜の間隔を保って並列させて一体とした構成であって、各食肉移送樋の出口付近における断面積が略同じになる位置に上部押圧部材を固定できるようにすることが好ましい。【００１０】更に、トレーの移送部材が、スライス肉片の移送方向に直交してトレーを移送する移送帯からなり、搬出コンベアはスライス肉片の移送方向に沿って走行するベルトコンベヤからなることが好ましい。
搬出コンベヤの始端部が、スライス肉片の受取位置に出退自在とされると便利である。【００１１】この発明の食肉スライス方法は、上述の食肉スライサーを使用して、上部押圧部材を固定して、食肉移送樋に複数の食肉塊を相互に接触させて詰め込み、複数の食肉塊を同時にスライスしてコマギレ肉とし、第一搬出手段を使用してコマギレ肉をトレーに盛付け機外に搬出する。
【発明の効果】
【００１２】この発明の食肉スライサーによれば、切り出されるスライス肉片をトレーに盛付けるか、またはコンベヤ上のいずれかで受取って機外に搬出することができる。
また、食肉移送樋が左右側壁と、底部コンベアと、上部押圧部材とで形成される四角形の断面を有し、上部押圧部材が固定された状態と上下動可能な状態とのいずれかでスライス作業が可能であり、コマギレ肉をスライスするときには上部押圧部材を固定して定量でスライスしトレーに盛付けて搬出することが可能であり、単一の食肉塊をスライスのときには上部押圧部材を上下動させて食肉塊を押圧してスライスし搬出コンベヤによって搬出することによって生産アイテムに応じて所望する後作業を行うことができる。
【図面の簡単な説明】
【００１３】
【図１】本発明の食肉スライサーの要部を破断した側面図である。
【図２】同平面図である。
【図３】食肉移送樋の出口付近における断面図である。
【図４】受取位置における搬出手段のスライス肉片の受取状況を模式的に示した説明図である。
【発明を実施するための形態】
【００１４】図面を参照しながら本発明の食肉スライサーについて説明する。図１は要部を破断した側面図、図２は平面図、図３は食肉移送樋の出口付近における断面形状を示し、図４は受取位置における搬出手段のスライス肉片の受取状況を模式的に表したものでスライス肉片が乗り継いでいる状態が示されている。
食肉スライサーは、載置された食肉塊の送り出し手段を備えた食肉移送樋と、食肉移送樋の出口付近に設けられた刃と、刃によって切削されたスライス肉片を所定の受取位置で受取って機外に搬出する搬出手段とを具備する。
【００１５】本例に使用する食肉スライサーは本出願人による特開２００６−２２４２６３号公報などに記載されているものを流用したものなので詳細構成については省略する。
食肉移送樋は、機台２の後部左右側壁から一体的に突設させた支持軸３を中心として水平位置付近における一定角度範囲内で上下に揺動できるように支持されている。
食肉移送樋は、単一の食肉移送樋としてもよいが、出口付近における断面積が略等しい複数の食肉移送樋を、適宜間隔を保って並列させて一体とした構成とすることが望ましく本例においては図３に示すように２組の食肉移送樋１ａ，１ｂとで構成されている。
【００１６】食肉移送樋１ａ，１ｂの底部には、底部コンベヤ４が図３に示すように両移送樋１ａ，１ｂの幅方向一杯に、図１に示すように食肉移送樋１の後部から出口に亘って敷設されており、広く用いられる手段なので詳述はしないが適宜サーボモーターに連結されて駆動される。
また、食肉移送樋１ａ，１ｂの左右両側には側壁５、５が後部から出口に亘って立設されるとともに、食肉移送樋１ａ，１ｂの出口付近の上部位置には、この側壁５、５と底部コンベヤ４の上面とによって食肉塊の送り出し方向に断面形状が四角形の移送路を形成する上部押圧部材として上部コンベヤ６、６が設けられる。この上部押圧部材は必ずしもコンベヤでなくともよく単なる平板状であってもよい。
この食肉移送樋１ａ，１ｂの後半部（支持軸３側）は上部コンベヤ６がなく開放されている上に揺動中心点に近いので食肉移送樋１ａ，１ｂの動きが少なく食肉移送樋１ａ，１ｂ内への食肉塊の供給が容易にしかも安全にできる。
【００１７】上部コンベヤ６、６は、食肉移送樋１ａ，１ｂにおける両側壁５，５の間隔よりやや小さい幅寸法を有して食肉移送樋１ａ、１ｂの出口付近であって略前半部に設けられる。前後に軸支されたローラー６ａ，６ｂにコンベヤベルトが掛け回されていて、後部のローラー６ｂが食肉移送樋１ａ，１ｂにそれぞれ支持されており、ローラー６ｂは底部コンベヤ４に同期して適宜図示しないモーターで間欠駆動される。
この上部コンベヤ６、６は、下側の食肉塊との当接面が出口側に向けて漸次前下がり状に傾斜していて食肉塊を底部コンベヤとで挟持して送り出しながら圧縮して均一性を高めるようにしている。
また、上部コンベヤ６，６は後部のローラー６ｂの軸心を中心として上下に揺動可能に、食肉移送樋１ａ，１ｂに取り付けられているエアーシリンダー６ｃ、６ｃに連結支持されている。
【００１８】さらに、この上部コンベヤ６，６は適宜手段で前述の上下揺動範囲内における所定の位置に固定可能とされていて、上部コンベヤ６，６の出口側先端部の位置を固定することによって、底部コンベヤ４と左右側壁５，５と、上部コンベヤ６とによって形成される食肉移送樋１の出口部付近における断面四角形状の面積が定まる。この断面積を埋めるように食肉塊を詰め込むことによって送り出し量を一定にすることができる。
【００１９】このように底部に送出コンベヤ４と、両側部に側壁５，５と、上部に上部コンベヤ６，６とを有した食肉移送樋１ａ、１ｂの出口には送り出し方向に位置調節されてスライス厚みを規制する当て板７が設けられている。この当て板７の上端部には切り出し口を隔ててバンドナイフ８が備えられ、上下方向に往復移動する食肉移送樋１ａ、１ｂが上動するときに、食肉移送樋１ａ，１ｂに載置された食肉塊の先端がバンドナイフ８によって切削されスライス肉片として切り出し口から切り出される構成とされている。
【００２０】切り出し口近くにはスライス肉片を周面で受け取る回転体９が設けられる。回転体９の周面はスライス肉片が切り離される前から受け取れるように可能な限り切り出し口に接近させている。
この回転体９を、食肉移送樋１の上動速度に関連させて図示しないがサーボモーターを用いて回転させることでスライス肉片を広げられた状態で常に定位置に来るよう整然と取り出すことができる。この回転体９は、必ずしも円筒形でなくとも無端帯で構成したものであっても良い。
【００２１】回転体９の反切り出し口側の周面には回転体９の周面に付着して移送されたスライス肉片を剥ぎ取る剥離部材として、回転体９の周面に近接して逆方向に走行する剥離ローラー１０が設けられる。剥離部材はローラーでなくとも板材を用いたスクレーパーとしても良い。
【００２２】次いで回転体９で移送され、剥離ローラー１０によって剥ぎ取られたスライス肉片を受取り機外に搬出する搬出手段について説明する。
本例においては、２系統の搬出手段、即ち第一搬出手段と第二搬出手段とが設けられていて、前述の上部押圧部材の切り替えに関連して使い分けが可能とされる。
【００２３】第一搬出手段は、空のトレー１１をスライス肉片の受取位置まで移送し回転体９から剥ぎ取られたスライス肉片をトレー１１内に受取り機外に搬出するトレーの移送部材からなる。回転体９から剥離ローラー１０によって剥ぎ取られたスライス肉片が落下する受取位置まで空のトレー１１を移送し、受取位置でスライス肉片が盛付けられたトレー１１を搬出する移送部材は、詳細図示は省略しているが受取り位置の側方位置に、ホッパー内に積層された多数のトレー１１を最下端部から剥離して下方に取り出すトレー剥離装置と、取り出されたトレー１１を受け取ってスライス肉片の切り出しに関連して順繰りに受取位置まで、スライス肉片の移送方向（食肉移送樋における食肉塊の送り出し方向であって、図１においては左右方向）に直交して移送するトレー１１の係止片を有する移送帯１２とによって構成されている。
受取位置においてスライス肉片が盛付けられたトレー１１を搬出する移送部材には、移送帯１２が延長されたものでもよいが後処理の都合などから別のベルトコンベヤなどを連結したものでも良い。
【００２４】これらトレーの移送部材のホッパー、移送帯１２などは図１に示すように当て板７及び回転体９、剥離ローラー１０などと一体的に組み込まれた可動枠１３が、平行リンク１４，１４を介して機台２に支持されていて、スライス厚みを設定する際に、駆動装置１６によって当て板７が食肉移送樋１ａ，１ｂにおける食肉塊の送り出し方向に移動させられるが同時に各々が関係位置を保ったまま移動するように構成されている。
【００２５】第二搬出手段は、前述のスライス肉片の受取り位置において搬出コンベヤ１７の始端部上にスライス肉片を受取り機外に搬出するものである。
搬出コンベヤ１７は本例においては、第一搬出手段におけるトレー１１の移送方向とは直交してスライス肉片の移送方向に沿って走行するように設けられる。
搬出コンベヤ１７は、図示しないモーターなどの駆動装置が連結された駆動ローラーと始端部から終端部などに設けられた複数のローラー間に掛け回されたベルトコンベヤで構成されている。
【００２６】スライス肉片を受取る搬出コンベヤ１７の始端部は、図４に示されるようにスライス肉片を受取るときには実線で示された回転体９と剥離ローラー１０とに近接した状態に置かれる。
搬出コンベヤ１７の始端部は、図４に示すように回転体９の外周とで形成されるデルタ状の谷間に剥離ローラー１０をお互いに近接させて回転体９の周面と搬出コンベヤ１７の上面とで挟むように配置し、回転体９の周面に付着して移送されるスライス肉片ｍの先端部を、回転体９の走行方向に対して剥離ローラー１０を逆向きに回転させて剥ぎ取り、方向を略９０度変えて搬出コンベヤ１７に向けて誘導する。
剥離ローラー１０は、スライス肉片ｍが付着して引き込まれないように比較的少径（６ｍｍ〜３０ｍｍ）の丸棒が使用されているので、スライス肉片ｍは搬出コンベヤ１７との当接面側には引き込まれることなくスムーズに乗り継ぐことができる。
搬出コンベヤ１７の走行速度は乗り継ぎ部でスライス肉片ｍが停滞しないように回転体９の周速度と同等以上とすることが望ましい。
この第二搬出手段は、主に単一の食肉塊をスライスするときに使用されるのでスライス肉片ｍがコマギレ肉に比較すれば大形であり図４に示すように移送されるスライス肉片ｍの前半部が乗り移れば剥離ローロー１０によって引き込まれるおれがない。
【００２７】搬出コンベヤ１７は、第一搬出手段が使用されるときには、少なくとも始端部を図４における仮想線で表示した状態にまで退却させてトレー１１へのスライス肉片の落下通路を開ける。
即ち、搬出コンベヤ１７の始端部は、回転体９と剥離ローラー１０とに近接したスライス肉片の受取位置から剥離ローラー１０によって剥ぎ取られたスライス肉片がトレー１１内に落下する通路が確保できるように適宜な手段を講じて水平方向に退却自在となるように構成する。
【００２８】搬出コンベヤ１７は、既製品のコンベヤを着脱して使用するようにしてもよいが、本例のようにトレー移送装置が取り付けられた可動枠１３に支持させるとスライス厚みを調節するために、当て板７や回転体９などを支持する可動枠１３を移動させても関係位置が変わらないので都合が良い。
搬出コンベヤ１７を走行させる駆動モーターはスライサーの制御装置に連結すると便利である。
【００２９】このように構成された食肉スライサーの使用方法について説明する。
まず複数の食肉塊を食肉移送樋１ａ，１ｂ内に相互に接触させて詰め込み、複数の食肉塊を同時にスライスして得られるコマギレ肉のスライス方法について述べる。
この場合には、先ず食肉移送樋１ａ，１ｂにおける上部コンベヤ６，６を食肉移送樋１ａ，１ｂの所定位置に固定する。固定する位置を定めるには、まずスライス厚みと食肉移送樋１における出口付近の断面四角形状の面積とによって一回にスライスされる体積を計算し、食肉移送樋１内の食肉塊の詰まり具合から経験的に得られる見かけの比重を乗じて重量を算出する。
本例においては、一回にスライスされる重量を基準にしてトレー１１への投入回数、即ち盛付量を決めるので希望する盛付量になるように上部コンベヤ６の位置を定めて断面四角形状の面積を調整する。
【００３０】本例のように同じ食肉移送樋１を２組並列して一体的に構成した場合に、断面四角形状が等しい面積となるように上部コンベヤ６の位置を定めて固定するとそれぞれの食肉移送樋１ａ，１ｂから送り出されて一回にスライスされる量が等しくなるので、一個のトレー１１に複数回分を受取って盛付ける際に両方の食肉移送樋１ａ、１ｂに分けて数回ずつ受け取るようにしても定量性が損なわれないので都合が良い。
【００３１】コマギレ肉は、トレー１１に容易に盛付けできるので搬出手段はトレー１１の移送部材からなる第一搬出手段が使用される。従って第二搬出手段を構成する搬出コンベヤ１７は、トレー１１へのスライス肉片の投入の妨げとならないようにスライス肉の受取り位置から始端部を退去させておく。
【００３２】このように調整された食肉スライサーの食肉移送樋１内に複数の食肉塊を相互に接触させて詰め込み、スライス作業を開始するが本例のように２組の食肉移送樋１ａ，１ｂを並列させて構成した場合、それぞれの食肉移送樋１ａ、１ｂから一回にスライスされる量を基準にして一つのトレーに投入する回数を決めて盛付量を定める。
例えば豚のもも肉などのコマギレ肉をスライスする場合において、食肉移送樋１内への食肉塊を充満するよう詰め込み、食肉移送樋１ａ，１ｂそれぞれの出口付近の断面寸法を幅１４５ｍｍ、縦１５０ｍｍとし、スライス厚みを２ｍｍにするとそれぞれの食肉移送樋１ａ、１ｂの出口において一回にスライスされる量が略５０ｇになるので、上部コンベヤ６の底部コンベヤ６との対向面から底部コンベヤ６の上面までの距離を１５０ｍｍとなる位置に上部コンベヤ６を固定する。
この際に食肉移送樋１ａ、１ｂの出口付近の断面積は、同一のトレーに両方の食肉移送樋１ａ、１ｂの両方から投入されても定量性を損なうことがないように、略同一となるように特に上部コンベヤ６の固定位置には注意が必要である。
ここで、生産量の多い２００ｇを盛付けたトレーを得ようとすれば一つのトレー１１に対して５０ｇずつ４回分を投入すればよく、食肉移送樋１ａ，１ｂのそれぞれから２回ずつに分けて投入させるようにトレー１１を移送してもよい。
このコマギレ肉を定量でスライスするためには、本例の食肉スライサーでは食肉移送樋１ａ，１ｂ内へ複数個の食肉塊を均一になるようしかも食肉塊同士を接触させて隙間なく充満するよう詰め込ことが必要である。
【００３３】次に例えば豚の背ロースのような単一の部位からなる食肉塊をスライスする場合について述べる。
この場合、食肉塊は外形寸法が不揃いであり高さ寸法（切断方向の長さ寸法、図３の上下方向の寸法）も一様でない。従って上部コンベヤ６は食肉塊のスライスされる箇所に近い所を押圧しないと正確にスライスすることができないので前述したコマギレ肉のときと異なり食肉塊の高さ寸法に順応して上下移動できるようにエアーシリンダー６ｃ、６ｃで支持させる。
【００３４】一方、搬出手段は、搬出コンベヤ１７からなる第二搬出手段を使用する。これは、コマギレ肉以外のスライス作業においては、トレーへの盛付姿勢が一様でなく、前述したように一旦、コンベヤ上に広げられ状態で取り出してから人手により所望のトレー盛付を行わざるを得ない実情に合わせたものである。
搬出コンベヤ１７を駆動するモーターはスライサー本体の制御装置と連結してスライス動作に関連させて搬出コンベヤ１７を走行させて所望の受取形態とする。
【００３５】以上述べたように構成された食肉スライサーにおいては、コマギレ肉においては上部コンベヤの位置を固定して定量スライスし、第一搬出手段を使用してトレー盛付作業が可能であり、また、上部コンベヤ１７を上下移動可能とし第二搬出手段とを組み合わせることで盛付形態が多様な単一部位の食肉塊のスライス作業も可能なので食肉スライサーとして汎用性が高まり稼働率が向上する。
【符号の説明】
【００３６】    １ａ，１ｂ  食肉移送樋
４    底部コンベヤ
５    側壁
６    上部コンベヤ
９    回転体
１０  剥離ローラー
１１  トレー
１２  トレー移送帯
１７  搬出コンベヤ
【図１】
2011218537.tif 000003
【図２】
2011218537.tif 000004
【図３】
2011218537.tif 000005
【図４】
2011218537.tif 000006